(57)【要約】【課題】  簡素な制御回路を付加することで電池組のサイクル寿命特性を向上させる電池パックを提供すること。【解決手段】  複数の素電池を直列接続してなる電池組１０において、その電池組１０内の一つの素電池１８を複数の素電池の中にあって電池組１０の負極端子から数えて最初の段に配置すると共に、他の素電池より定格容量の少ない素電池とする。この定格容量の少ない低容量素電池１８の温度と電圧を検出し、検出結果に基づいて低容量素電池１８の満充電を判別し、満充電と判別したときは電池組１０の充電を停止する。同じく検出結果に基づいて、低容量素電池１８が過放電状態直前かどうかを判別し、過放電状態直前と判断したときは電池組１０の使用を中止する。【選択図】図１
2006344611.tif 000002
【特許請求の範囲】
【請求項１】
携帯用機器の電源として使用される電池パックにおいて，
複数の素電池を直列接続してなり、前記複数の素電池の内の少なくとも一つの素電池を他の素電池より定格容量の少ない低容量素電池とした充電器及び前記携帯用機器に選択的に接続可能な電池組と、
前記低容量素電池の満充電を判別する満充電判別手段と、
前記電池組の満充電を判別する電池組満充電判別手段と、
前記満充電判別手段及び前記電池組満充電判別手段により前記低容量素電池及び前記電池組の少なくとも一方が満充電であると判別されたときは、前記電池組の充電を停止させる充電停止信号を前記充電器に出力する制御手段を備えたことを特徴とする電池パック。
【請求項２】
前記満充電判別手段は、前記低容量素電池の温度を検出する素電池温度検出手段と、前記低容量素電池の電圧を検出する素電池電圧検出手段とからなり、前記素電池温度検出手段及び前記素電池電圧検出手段の出力に基づいて前記低容量素電池の満充電を判別することを特徴とする請求項１記載の電池パック。
【請求項３】
前記電池組の電圧を検出する電池組電圧検出手段と、前記電池組電圧検出手段により検出された前記電池組の電圧に基づいて前記電池組の充電時の異常状態を検出する充電異常状態検出手段とを更に備え、前記制御手段は、前記充電異常状態検出手段により前記電池組の異常状態が検出されたときは、前記電池組の充電を停止させる充電停止信号を前記充電器に出力することを特徴とする請求項１若しくは２のいずれかに記載の電池パック。
【請求項４】
前記電池組が充電中か放電中かを検出する充放電検出手段を更に備えたことを特徴とする請求項１乃至３のいずれか一に記載の電池パック。
【請求項５】
前記低容量素電池は前記複数の素電池の中にあって前記電池組の負極端子から数えて最初の段に配置することを特徴とする請求項１乃至４のいずれか一に記載の電池パック。
【発明の詳細な説明】
【技術分野】
【０００１】
本発明は、携帯用機器の電源として用いられているニッケルカドミウム電池、ニッケル水素電池及びリチウムイオン電池等の２次電池から構成される電池パックに関するものである。
【背景技術】
【０００２】
近年，ニッケルカドミウム電池、ニッケル水素電池及びリチウムイオン電池等の２次電池の高容量化及び大電流による充放電特性の改善は目覚ましいものがある。このような性能改善を施した２次電池を接続板等により直列に接続した電池組は高負荷機器のコードレス化を可能とした。この電池の改善は必然的に大電流での充放電が可能となるため、大きな発熱を引き起こし、サイクル寿命特性を低減させる。また、特に、素電池を直列に接続した電池組の場合、電池組内の容量の少ない素電池が過充電・過放電となりやすい。このように容量の少ない素電池が繰り返し過充電・過放電されると、その素電池のみが他の素電池よりも早く寿命となってしまう。
【０００３】
上記現象を図５に示した電池組の充電特性を用いて説明する。図に示されているように、電池組の電圧、温度及び内部圧力は充電初期から満充電近くまで緩やかに上昇し、満充電付近から急激に上昇する。電池組の満充電検出は、満充電付近の電圧及び温度の急激な変化を検出することにより行われる。
【０００４】
ところが、図６に示すように、電池組内の容量の少ない素電池は、他の素電池より早く満充電となり、電池組の満充電検出時点では過充電となっている。また、この時点では、素電池内の温度上昇及び内部圧力の上昇が大きくなっており、電池の劣化が進行する。このような状態で充放電を繰り返すと、容量の少ない素電池は過放電・過充電を繰り返し、何れは素電池内の電解液が漏れ、内部インピーダンスの増大を引き起こす。これに伴い、容量の少ない素電池の容量が激減し、内部短絡もしくは内部オープン故障に至り、これが原因で電池パックが寿命に至る。
【０００５】
図７に電池組のサイクル寿命特性を示す。１００％充電・１００％放電の場合は、満充電になる前に充電を停止する中途充電（８０％充電）、過放電になる前に放電を停止する中途放電（８０％放電）で充放電を繰り返した時と比べ極端に寿命が短いのは、先に説明した通りである。
【０００６】
そこで、例えば、ＨＥＶ（ハイブリッドカー）等に使用する電池組は長寿命化を達成させるため、図７に示す中途充電・中途放電というような使い方をして電池組を過充電・過放電させないようにしてしる。
【発明の開示】
【発明が解決しようとする課題】
【０００７】
しかしながら、かかる方式は、中途充電・中途放電を可能とするため、電池組の全ての素電池、もしくは電池組の幾つかの素電池群の電池電圧及び電池温度をモニタしなければならず、制御回路が複雑になるという問題がある。そのような複雑な制御回路を付加した電池パックを民生用機器として使用する場合には、コスト面で問題が多い。
【０００８】
本発明の目的は，上記従来技術の欠点をなくし，簡素な制御回路を付加することで電池組のサイクル寿命特性を向上させる電池パックを提供することにある。
【課題を解決するための手段】
【０００９】
上記目的を達成させるためになされた請求項１記載の発明は、携帯用機器の電源として使用される電池パックにおいて，複数の素電池を直列接続してなり、前記複数の素電池の内の少なくとも一つの素電池を他の素電池より定格容量の少ない低容量素電池とした充電器及び前記携帯用機器に選択的に接続可能な電池組と、前記低容量素電池の満充電を判別する満充電判別手段と、前記電池組の満充電を判別する電池組満充電判別手段と、前記満充電判別手段及び前記電池組満充電判別手段により前記低容量素電池及び前記電池組の少なくとも一方が満充電であると判別されたときは、前記電池組の充電を停止させる充電停止信号を前記充電器に出力する制御手段を備えたことを特徴としている。
【００１０】
このように構成された本発明では、直列接続された複数の素電池内に他の素電池より定格容量の少ない低容量素電池を組み込んだので、電池パックを充電器に接続して充電をすると、通常は、この低容量素電池が最初に満充電となる。この状態で更に充電を継続すると、低容量素電池は過充電状態となる。そこで、低容量素電池が満充電であると判別されたとき電池組の充電を停止するようにし、低容量素電池の過充電を防止して低容量素電池の寿命の短命化を防ぎ、もって電池組のサイクル寿命特性の向上を図っている。また、低容量素電池が満充電であるか否かに係わらず、電池組が満充電と判別されたときにも電池組の充電を停止するようにする。
【００１１】
請求項２記載の発明は、請求項１記載の構成において、満充電判別手段は、低容量素電池の温度を検出する素電池温度検出手段と、低容量素電池の電圧を検出する素電池電圧検出手段とからなり、素電池温度検出手段及び素電池電圧検出手段の出力に基づいて低容量素電池の満充電を判別することを特徴としている。
【００１２】
一般に、２次電池は充電を継続すると、電池電圧が上昇し、電池温度が上昇する。そこで、本発明でも、低容量素電池の満充電をその電池電圧と電池温度に基づいて判別するようにしている。ただし、電池電圧と電池温度のいずれか一方に基づいて判別するようにしてもよい。
【００１３】
請求項３記載の発明は、請求項１若しくは２のいずれかに記載の構成に加え、電池組の電圧を検出する電池組電圧検出手段と、電池組電圧検出手段により検出された電池組の電圧に基づいて電池組の充電時の異常状態を検出する充電異常状態検出手段とを更に備え、制御手段は、充電異常状態検出手段により電池組の異常状態が検出されたときは、電池組の充電を停止させる充電停止信号を充電器に出力することを特徴としている。
【００１４】
他の素電池より定格容量の少ない低容量素電池を組み込んだ電池組は、充電中に過充電等の異常が発生するとすれば、その原因は低容量素電池にある場合がほとんどであるが、低容量素電池以外の素電池に原因がある場合もないとはいえない。そこで、低容量素電池の電池電圧に着目するだけでなく、電池組全体の電池電圧にも着目して、たとえば、充電中に電池組の満充電を判定したにも拘わらず満充電判別手段が満充電と判定しなかった場合には、電池組に異常があると判断して、電池組の充電を停止するようにしている。
【００１５】
請求項４記載の発明は、請求項１乃至３のいずれか一に記載の構成に加え、電池組が充電中か放電中かを検出する充放電検出手段を更に備えたことを特徴としている。
【００１６】
従って、電池組が充電中と判断されたときに、満充電判別手段は低容量素電池が満充電であるかどうかの判別を行い、電池組が放電中と判断されたときに、異常状態検出手段は低容量素電池が異常状態にあるかどうかを検出すればよい。
【００１７】
請求項５記載の発明は、請求項１乃至４のいずれか一に記載の構成において、低容量素電池は複数の素電池の中にあって電池組の負極端子から数えて最初の段に配置することを特徴としている。
【００１８】
かかる構成により、簡素な回路で低容量素電池の電池電圧を検出することができる。
【発明の効果】
【００１９】
請求項１記載の電池パックによれば，複数の素電池から構成される電池組の中に他の素電池より定格容量の少ない低容量素電池を組み込んだので、当該低容量素電池の満充電を検出した時に充電を停止することで、すべての素電池が過充電と状態となることがなく、電池パックのサイクル寿命を飛躍的に向上させることができる。
【００２０】
請求項２記載の電池パックによれば，充電中の低容量素電池の電池温度と電池電池電圧の双方に基づいて満充電判断をするようにしたので、満充電時の低容量素電池の電池電圧は電池組のそれに比べて低いにも拘わらず、正確な判断をすることができる。
【００２１】
請求項３記載の電池パックによれば，低容量素電池以外の原因で、たとえば、充電時の電池組の電圧が過充電直前の状態にある場合のように、何らかの異常状態が検出された場合でも、電池組の充電を即座に停止することができる。
【００２２】
請求項４記載の電池パックによれば，充放電検出手段はハードウエア的には簡単な構成で実現することができ、また、充放電検出手段からの出力により制御手段が実行する各種判断をソフトウエア的に簡易に実現することができる。
【００２３】
請求項５記載の電池パックによれば，簡素な回路で低容量素電池の電池電圧を検出することができる。
【発明を実施するための最良の形態】
【００２４】
以下、本発明の電池パックの実施の形態を、図１乃至図３を用いて説明する。図１は電池パック１を充電器１００に接続した状態を示す図で、図２は電池パック１を携帯用機器２００に接続した状態を示す図である。
【００２５】
図１において、電池パック１の正極端子２と負極端子３は、充電器１００に設けられている正極端子１０１と負極端子１０２とそれぞれ接続されている。充電器１００には情報伝達端子１０３が形成されている。この情報伝達端子１０３には、後述するマイクロコンピュータ６０（以下、「マイコン６０」という。）の出力ポート６６から電池パック１の情報伝達端子４を介して出力される充電停止信号が印加される。また、図２に示されているように、電池パック１を携帯用機器２００に接続した場合には、マイコン６０の出力ポート６６から出力される駆動停止信号は情報伝達端子４を介して携帯用機器２００の情報伝達端子２０３に印加される。なお、図示されていないが、使用時、充電器１００は１００Ｖの交流電源に接続される。
【００２６】
電池パック１には、素電池１１〜１８を接続板で直列接続されてなる電池組１０が内包されている。このうち素電池１１〜１７は定格容量Ｑ１Ａｈであり、素電池１８の定格容量はこれより２割少ない０．８×Ｑ１Ａｈである。定格容量の少ない素電池１８（以下、「低容量素電池１８」という。）は、８個の素電池の中にあってＧＮＤである負極端子３から数えて最初の段に配置される。
【００２７】
図１に示したように、電池パック１と充電器１００を接続して電池パック１を充電する場合には、充電器１００の正極端子１０１から電池組１０の正極側に、そして電池組１０の負極側から充電器１００の負極端子１０２の方向に充電電流が流れる。逆に、図２に示したように、電池パック１と携帯用機器２００を接続し、電池パック１を電源として携帯用機器２００を駆動する場合には、電池組１０の正極端子２から携帯用機器２００を介して電池組１０の負極端子３の方向に負荷電流が流れる。
【００２８】
この電流経路には、素電池電圧検出部２０，定電圧電源３０，電池組電圧検出部４０，素電池温度検出部５０，充放電検出部７０が接続されており、これら各部は制御手段たるマイコン６０に接続されている。
【００２９】
マイコン６０は、中央処理装置（ＣＰＵ）６１、ＲＯＭ６２、ＲＡＭ６３、タイマ６４、Ａ／Ｄコンバータ６５、出力ポート６６、リセット入力ポート６７から構成され、これらは内部バスにより相互に接続されている。
【００３０】
素電池電圧検出部２０は抵抗２１のみで構成されている。当該抵抗２１は素電池１７，１８を接続する金属板とマイコン６０のＡ／Ｄコンバータ６５の間に接続されており、低容量素電池１８の電圧をＡ／Ｄコンバータ６５に入力するための制限抵抗である。
【００３１】
前述した低容量素電池１８は、ＧＮＤである負極端子から数えて最初に配置するようにしたので、低容量素電池１８の電圧検出を抵抗２１のみの簡素な回路で実現できる。ここで、低容量素電池１８を負極端子から数えて最初の段に配置しないようにした場合、例えば、素電池１７と１８とを入れ替えた場合、当然のことながら、ＧＮＤとの関係上、低容量素電池１８のみ電圧を検出するには減算回路等が必要になり、電圧検出の回路構成が複雑になる。
【００３２】
定電圧電源３０は、３端子レギュレータ（ＲＥＧ．）３１、平滑コンデンサ３２、３３、リセットＩＣ３４から構成されており、定電圧電源３０から出力される定電圧ＶＣＣは、素電池温度検出部５０、マイコン６０及び電流検出部７０の電源となる。リセットＩＣ３４はマイコン６０のリセット入力ポート６７に接続されており、マイコン６０を初期状態にするためにリセット信号をリセット入力ポート６７に対して出力する。
【００３３】
電池組電圧検出部４０は、電池組１０全体の電池電圧を検出するためのもので、抵抗４１〜４３からなる。電池組１０の正極端子とＧＮＤ間に直列接続された抵抗４１，４２の接続点は、抵抗４３を介してマイコン６０のＡ／Ｄコンバータ６５に接続されている。Ａ／Ｄコンバータ６５からは、検出した電池電圧に対応するデジタル値が出力され、マイコン６０のＣＰＵ６１は、当該デジタル値とＲＯＭ６２に記憶されている所定電圧とを比較して、電池組１０が正常電圧を維持しているかどうかを監視する。
【００３４】
素電池温度検出部５０は、低容量素電池１８の近傍に配置して当該素電池の温度を検出するものであり、感温素子としてのサーミスタ５１、抵抗５２〜５４から構成されている。サーミスタ５１は抵抗５３を介してマイコン６０のＡ／Ｄコンバータ６５に接続されている。Ａ／Ｄコンバータ６５からは、検出した電池温度に対応するデジタル値が出力され、マイコン６０のＣＰＵ６１は、当該デジタル値と予め設定した所定値とを比較し、低容量素電池１８の電池温度が異常高温であるかどうかの判断を行う。
【００３５】
充放電検出部７０は、電流検出抵抗７１及び充放電電流検出回路７２から構成され、電池組１０が充電中か放電中かを検出する。充放電電流検出回路７２は、例えば、反転増幅回路と、非反転増幅回路の両方を備えた構成で、電流検出抵抗７１に流れる電流の方向及び大きさによって生じる電位を、反転増幅及び非反転増幅することにより、充電及び放電に対応して反転増幅回路、または非反転増幅回路に出力が生じ、この出力に基づいてマイコン６０のＡ／Ｄコンバータ６５でＡ／Ｄ変換し、ＣＰＵ６１は電池組１０が充電中か放電中かを判別する。
【００３６】
次に図１及び図２の回路図と図３のフローチャートを参照して動作を説明する。
【００３７】
プログラムがスタートすると、マイコン６０は素電池電圧検出部２０の出力をＡ／Ｄコンバータ６５でＡ／Ｄ変換し、低容量素電池１８の電圧Ｖ１８を取り込む（ステップ３０１）。また、素電池温度検出部５０の出力を同じくＡ／Ｄコンバータ６５でＡ／Ｄ変換し、低容量素電池１８の温度Ｔ１８を取り込む（ステップ３０２）。引き続き、充放電検出部７０の出力をＡ／Ｄコンバータ６５でＡ／Ｄ変換し、電池パック１が充電中か否かを判別する（ステップ３０３）。電池パック１が充電中と判別したときは（ステップ３０３：ＹＥＳ）、低容量素電池１８の満充電判別を行う（ステップ３０４）。
【００３８】
低容量素電池１８の満充電判別は、図６に示した低容量素電池の充電特性に従い、検出した電圧Ｖ１８及び温度Ｔ１８の変化に基づいて判別する。前記の満充電判別方式によって低容量素電池１８が満充電でない場合は（ステップ３０４：ＮＯ）、ステップ３０１に戻る。ステップ３０４において、低容量素電池１８が満充電と判別したときは（ステップ３０４：ＹＥＳ）、マイコン６０の出力ポート６６から充電器１００の充電を停止させる充電停止信号を出力する（ステップ３０５）。充電停止信号は、電池パック１の情報伝達端子４から充電器１００の情報伝達端子１０３に入力され、充電器１００の出力を停止させる。
【００３９】
ステップ３０３において、電池パック１が充電中でない場合は（ステップ３０３：ＮＯ）、充放電検出部７０の出力をマイコン６０のＡ／Ｄコンバータ６５でＡ／Ｄ変換し、電池パック１が放電中か否かを判別する（ステップ３０６）。電池パック１が放電中と判別したときは（ステップ３０６：ＹＥＳ）、低容量素電池１８の電圧Ｖ１８が所定値以下の電圧まで放電されたか否かの判別を行う（ステップ３０７）。この判別は、低容量素電池１８が過放電とならないようにするためのものであり、よって、電圧Ｖ１８が所定値以下と判別されたときにも低容量素電池１８が過放電状態にないように所定値を選定する必要がある。
【００４０】
具体的には、ニッケルカドミウム電池やニッケル水素電池の場合は１．０Ｖ程度、リチウムイオン電池で、例えば、３．６Ｖ系のものであれば、２．５Ｖ程度を所定値とする。
【００４１】
前記の放電時の電圧判別で低容量素電池１８の電圧Ｖ１８が所定値以下でない場合は（ステップ３０７：ＮＯ）、低容量素電池１８の温度Ｔ１８が所定値以上か否かの判別を行う（ステップ３０８）。低容量素電池１８の放電時の温度判別は、低容量素電池１８の温度が異常な温度上昇をひきおこす前に行い、異常な温度上昇をひきおこす前であっても温度Ｔ１８が所定値を越えた場合には、放電を停止するようにする。前記の放電時の温度判別で低容量素電池１８が所定値以上の温度上昇となっていない場合は（ステップ３０８：ＮＯ）、ステップ３０１に戻る。ステップ３０８において、低容量素電池１８が所定値以上の温度上昇を引き起こしたときは（ステップ３０８：ＹＥＳ）、マイコン６０の出力ポート６６から携帯用機器２００の駆動を停止させる駆動停止信号を出力する（ステップ３０９）。
【００４２】
駆動停止信号は、電池パック１の情報伝達端子４から携帯用機器２００の情報伝達端子２０３に印加され、例えば、携帯用機器のスイッチをオフさせて携帯用機器２００の駆動を停止する。また、ステップ３０７において低容量素電池１８の電圧Ｖ１８が所定値以下の時は（ステップ３０７：ＹＥＳ）、ステップ３０８をスキップし、前述したステップ３０９の処理を行う。
【００４３】
上記の実施の形態において、ステップ３０４の低容量素電池１８の満充電判別は、低容量素電池１８が他の素電池１１〜１７と比較し定格容量を小さくしているので、必然的に低容量素電池１８が先に満充電になり、他の素電池１１〜１７は中途充電状態が確保されるので、低容量素電池１８のみに注力して過充電しないようにすれば良い。具体的には図６に示すように、電池内部圧力が急激な上昇を起こす前に満充電判別を行うようにする。これにより中途充電状態が可能となる。同様にステップ３０７における低容量素電池１８の放電時の電圧判別は、充電効率の関係上、低容量素電池１８の充電容量が、他の素電池１１〜１７に比べて少なくなるので、必然的に低容量素電池１８が先に空になり、他の素電池１１〜１７は中途放電状態が確保されるので、低容量素電池１８のみに注力して過放電しないようにすれば良い。
【００４４】
また低容量素電池１８の定格容量は他の素電池１１〜１７に比べ８割程度の定格容量としたが、これに限るものではなく、素電池の製造上の容量公差を考慮して、必ず低容量素電池１８が他の素電池より容量が少なくなるように設定すればよい。
【００４５】
次に、図３に示した実施の形態の変形例を図４のフローチャートを参照しながら説明する。
【００４６】
プログラムがスタートすると、ステップ４０１とステップ４０２において、図３のフローチャートのステップ３０１とステップ３０２と同じ処理を行う。すなわち、低容量素電池１８の電圧Ｖ１８と温度Ｔ１８を取り込む。
【００４７】
次に、電池組電圧検出部４０の出力をＡ／Ｄコンバータ６５でＡ／Ｄ変換し、電池組１０の電圧を検出する（ステップ４０３）。引き続き、電池パック１が充電中か否かを判別する（ステップ４０４）。これは図３のフローチャートにおけるステップ３０３と同じ処理である。電池パック１が充電中のときは（ステップ４０４：ＹＥＳ）、低容量素電池１８の満充電判別を行う（ステップ４０５）。
【００４８】
ステップ４０５において、低容量素電池１８が満充電と判別されたときと（ステップ４０５：ＹＥＳ）、低容量素電池１８は満充電でないが（ステップ４０５：ＮＯ）、電池組１０が満充電と判別されたときは（ステップ４０６：ＹＥＳ）、マイコン６０の出力ポート６６から充電器１００の充電を停止させる充電停止信号を出力する（ステップ４０７）。電池組１０が満充電でない場合は（ステップ４０６：ＮＯ）、ステップ４０１に戻る。
【００４９】
ステップ４０４において、電池パック１が充電中でない場合は（ステップ４０４：ＮＯ）、電池パック１０が放電中か否かを判別する（ステップ４０８）。電池パック１０が放電中のときは（ステップ４０８：ＹＥＳ）、低容量素電池１８の電圧Ｖ１８が所定値以下の電圧まで放電されたか否かの判別を行う（ステップ４０９）。
【００５０】
低容量素電池１８の電圧Ｖ１８が所定値以下でない場合は（ステップ４０９：ＮＯ）、電池組１０の電圧が所定値以下でないかどうか判別する（ステップ４１０）。電池組１０の電圧が所定値以下でなければ（ステップ４１０：ＮＯ）、低容量素電池１８の温度Ｔ１８が所定値以上か否かの判別を行う（ステップ４１１）。低容量素電池１８が所定値以上の温度上昇となっていない場合は（ステップ４１１：ＮＯ）、ステップ４０１に戻る。
【００５１】
低容量素電池１８の電圧Ｖ１８が所定値以下の場合（ステップ４０９：ＹＥＳ）、電池組１０の電圧が所定値以下の場合（ステップ４１０：ＹＥＳ）及び低容量素電池１８の温度が所定値以上の場合には（ステップ４１１：ＹＥＳ）、マイコン６０の出力ポート６６から携帯用機器２００の駆動を停止させる駆動停止信号を出力する（ステップ４１２）。なお、低容量素電池１８の電圧Ｖ１８と比較する所定値と電池組１０の電圧と比較する所定値が異なる値をとることは言うまでもない。
【００５２】
上記した変形例では、定格容量の少ない低容量素電池のみならず電池組自体にも着目し、少なくともいずれか一方が満充電に達した場合に充電を停止すると共に、少なくともいずれか一方が過放電直前にあると判断された場合には放電を停止するようにしている。
【００５３】
本発明による電池パックは上述した実施の形態に限定されず、特許請求の範囲に記載した範囲で種々の変形や改良が可能である。例えば、上記実施の形態では、複数の素電池の中に一つ低容量素電池を組み込んだが、電池組を構成する素電池の数に応じて、２若しくはそれ以上の低容量素電池を組み込んでも構わない。また、低容量素電池１８の電圧Ｖ１８が所定値以下であり（ステップ３０７，４０９：ＹＥＳ）、かつ、低容量素電池１８の温度Ｔ１８が所定値以上（ステップ３０８，４１１：ＹＥＳ）の場合にのみ、放電時における低容量素電池１８が過放電直前にあると判断するようにしてもよい。
【図面の簡単な説明】
【００５４】
【図１】本発明の電池パックと充電器との関係を示す回路図。
【図２】本発明の電池パックと携帯用機器との関係を示す回路図。
【図３】本発明の電池パックの動作説明用フローチャート。
【図４】本発明の変形例による電池パックの動作説明用フローチャート。
【図５】電池組の充電特性の一例を示すグラフ。
【図６】容量の少ない素電池の充電特性を示すグラフ。
【図７】電池組のサイクル寿命特性の一例を示すグラフ。
【符号の説明】
【００５５】
１…電池パック
４…電池パック１の情報伝達端子
１０…電池組
１１〜１８…素電池
２０…素電池電圧検出部
４０…電池組電圧検出部
５０…素電池温度検出部
６０…マイクロコンピュータ
７０…充放電検出部
１００…充電器
１０３…充電器１００の情報伝達端子
２００…携帯用機器
２０３…携帯用機器２００の情報伝達端子
【図１】
2006344611.tif 000003
【図２】
2006344611.tif 000004
【図３】
2006344611.tif 000005
【図４】
2006344611.tif 000006
【図５】
2006344611.tif 000007
【図６】
2006344611.tif 000008
【図７】
2006344611.tif 000009